(57)【要約】      （修正有）【課題】額縁から首を突出させた置物でありながら、不興感がなくペットの自然な感じを演出する置物となる動物の首の模型を提供する。【解決手段】所定の形状の平面部から突出している動物の首の模型であって、模型の正面方向から見た動物の目の間隔の長さである目間隔Ｗ２を基準とした際の平面部から動物の鼻先までの高さＨ１の比Ｈ１／Ｗ２と、動物の目の間隔方向の平面部の幅を基準とした目間隔の比と、動物の顔の長さＬ２と平面部に描かれている動物の首から下部分の長さとを加算した長さＬ１を基準とした場合の動物の顔の長さＬ２の比Ｌ２／Ｌ１とを、所定の条件に設定する。【選択図】図４
0003206213.tif 000002
【実用新案登録請求の範囲】
【請求項１】
所定の形状の平面部から突出している動物の首の模型であって、
前記模型の正面方向から見た動物の目の間隔の長さである目間隔を基準とした際の、前記平面部から動物の鼻先までの高さの比が、０．３以上１未満の時に、動物の目の間隔方向の前記平面部の幅を基準とした、前記目間隔の比が、０．６以下であり、動物の顔の長さと前記平面部に描かれている動物の首から下部分の長さとを加算した長さを基準とした、動物の顔の長さの比が、０．７以下であり、
前記模型の正面方向から見た動物の目の間隔の長さである目間隔を基準とした際の、前記平面部から動物の鼻先までの高さの比が、１以上の時に、動物の目の間隔方向の前記平面部の幅を基準とした、前記目間隔の比が、０．３以下であり、動物の顔の長さを基準とした、前記目間隔の比が、０．５以下であることを特徴とする動物の首の模型。
【請求項２】
所定の形状の平面部から突出している動物の首の模型であって、
前記模型の正面方向から見た動物の目の間隔の長さである目間隔を基準とした際の、前記平面部から動物の鼻先までの高さの比が、０．３以上１未満の時に、動物の目の間隔方向の前記平面部の幅を基準とした、前記目間隔の比が、０．５以下であり、動物の顔の長さと前記平面部に描かれている動物の首から下部分の長さとを加算した長さを基準とした、動物の顔の長さの比が、０．６以下であり、
前記模型の正面方向から見た動物の目の間隔の長さである目間隔を基準とした際の、前記平面部から動物の鼻先までの高さの比が、１以上の時に、動物の目の間隔方向の前記平面部の幅を基準とした、前記目間隔の比が、０．２７以下であり、動物の顔の長さを基準とした、前記目間隔の比が、０．４５以下であることを特徴とする請求項１に記載の動物の首の模型。
【請求項３】
前記平面部は、四角形、円形、楕円形の何れかであることを特徴とする請求項１または２に記載の動物の首の模型。
【請求項４】
前記平面部には、２次元状若しくは３次元状に形成された人間若しくは動物の少なくともいずれかの写真またはイラスト、または、カレンダー、または時計、のいずれかが備えられていることを特徴とする請求項１から３のいずれか一項に記載の動物の首の模型。
【請求項５】
２次元状若しくは３次元状に形成された人間若しくは動物の少なくともいずれかの写真若しくはイラスト、または、カレンダー、または時計、のいずれかは、
前記平面部から突出している動物の首の部分の、前記平面部における外周形状の上部に接する水平線と、下部に接する水平緯線と、の間の領域以外の領域の中に、少なくとも占有面積の半分以上が含まれていることを特徴とする請求項４に記載の動物の首の模型。
【考案の詳細な説明】
【技術分野】
【０００１】
本考案は、生き物の置物に関する。
【背景技術】
【０００２】
従来の生き物の置物には剥製や模型などがある。特に、首を額縁などの面から突出させた壁掛けや置物は、飲食店など人の集まる場所に設置されるインテリアの一つとして用いられている。また、最近ではペットブームが巻き起こり、ペットの壁掛けや置物の新商品が販売され始めている。以下、壁掛けや置物を総称して置物とする。このような商品は額縁から首が突出しているという見た目が、観者によっては何となく気持ち悪いと感じられる場合がある。これは例えば犬の模型を犬の全身を表して作った場合には感じられず、首部分だけが額から突出していることで感じられるものである。このような不興感を解決する手段が提案されている。（特許文献１参照）。
【先行技術文献】
【特許文献】
【０００３】
【特許文献１】特開２００９−１１３３６５号公報
【考案の概要】
【考案が解決しようとする課題】
【０００４】
特許文献１に記載の技術では、剥製の体毛に染色や脱色やパーマ等を施すことで毛色や毛質を変える加工工程等を設けることで、不興感を払拭することを試みている。しかし、かかる不興感は、そもそも額縁の面から首だけが突出して感じられるものであり、上記の加工を施した程度では払拭することができない。本考案の目的は、額縁から首を突出させた置物でありながら、不興感がなくペットの自然な感じを演出する置物を提供することである。
【課題を解決するための手段】
【０００５】
前述の目的は、下記に記載する考案により達成される。
【０００６】
１．所定の形状の平面部から突出している動物の首の模型であって、
前記模型の正面方向から見た動物の目の間隔の長さである目間隔を基準とした際の、前記平面部から動物の鼻先までの高さの比が、０．３以上１未満の時に、
動物の目の間隔方向の前記平面部の幅を基準とした、前記目間隔の比が、０．６以下であり、
動物の顔の長さと前記平面部に描かれている動物の首から下部分の長さとを加算した長さを基準とした、動物の顔の長さの比が、０．７以下であり、
前記模型の正面方向から見た動物の目の間隔の長さである目間隔を基準とした際の、前記平面部から動物の鼻先までの高さの比が、１以上の時に、
動物の目の間隔方向の前記平面部の幅を基準とした、前記目間隔の比が、０．３以下であり、
動物の顔の長さを基準とした、前記目間隔の比が、０．５以下であることを特徴とする動物の首の模型。
２．所定の形状の平面部から突出している動物の首の模型であって、
前記模型の正面方向から見た動物の目の間隔の長さである目間隔を基準とした際の、前記平面部から動物の鼻先までの高さの比が、０．３以上１未満の時に、
動物の目の間隔方向の前記平面部の幅を基準とした、前記目間隔の比が、０．５以下であり、
動物の顔の長さと前記平面部に描かれている動物の首から下部分の長さとを加算した長さを基準とした、動物の顔の長さの比が、０．６以下であり、
前記模型の正面方向から見た動物の目の間隔の長さである目間隔を基準とした際の、前記平面部から動物の鼻先までの高さの比が、１以上の時に、
動物の目の間隔方向の前記平面部の幅を基準とした、前記目間隔の比が、０．２７以下であり、
動物の顔の長さを基準とした、前記目間隔の比が、０．４５以下であることを特徴とする前記１に記載の動物の首の模型。
【０００７】
３．前記平面部は、四角形、円形、楕円形の何れかであることを特徴とする前記１または２に記載の動物の首の模型。
【０００８】
４．前記平面部には、２次元状若しくは３次元状に形成された人間若しくは動物の少なくともいずれかの写真またはイラスト、または、カレンダー、または時計、のいずれかが備えられていることを特徴とする前記１から３のいずれか一に記載の動物の首の模型。
【０００９】
５．２次元状若しくは３次元状に形成された人間若しくは動物の少なくともいずれかの写真若しくはイラスト、または、カレンダー、または時計、のいずれかは、
前記平面部から突出している動物の首の部分の、前記平面部における外周形状の上部に接する水平線と、下部に接する水平緯線と、の間の領域以外の領域の中に、少なくとも占有面積の半分以上が含まれていることを特徴とする請前記４に記載の動物の首の模型。
【考案の効果】
【００１０】
額縁から首を突出させた置物でありながら、不興感がなくペットの自然な感じを演出する置物を提供することができる。
【図面の簡単な説明】
【００１１】
【図１】首模型１の三面図である。
【図２】額縁付きの犬の首模型１の二面図である。
【図３】額縁が四角形の場合のパラメーターとして使用する長さの定義を示した図である。
【図４】Ｈ１／Ｗ２が０．３以上１未満の時の、Ｌ１を基準としたＬ２の比を変化させた場合に観者が不興であると感じる率を表す図である。
【図５】Ｈ１／Ｗ２が１以上の時の、Ｌ１を基準としたＬ２の比を変化させた場合に観者が不興であると感じる率を表す図である。
【図６】Ｈ１／Ｗ２が０．３以上１未満の時の、Ｗ１を基準としたＷ２の比を変化させた場合に観者が不興であると感じる率を表す図である。
【図７】Ｈ１／Ｗ２が１以上の時の、Ｗ１を基準としたＷ２の比を変化させた場合に観者が不興であると感じる率を表す図である。
【図８】額縁が円形または楕円形の場合のパラメーターとして使用する長さの定義を示した図である。
【図９】首模型１に他の動物や人間の写真やイラストを描いた概要図である。
【図１０】首模型１のカレンダーや時計や動物や人間の写真やイラストを描いた概要図である。
【考案を実施するための形態】
【００１２】
以下、本考案の実施の形態について説明する。図１は、首模型１の三面図である。図２は、額縁付きの犬の首模型１の二面図である。
【００１３】
本実施形態にかかる動物の首模型１は、図１に示すように、四角形の額縁３の中に設けられた平面部３の上から、動物首部分８が突出するように設定されている。動物の種類は犬でも猫でも兎でも何でも構わない。
【００１４】
動物首部分８は、図２に示されている動物模型２０の首部分に相当する。動物の模型は様々な方法で作製することができる。例えば、剥製を作製する方法で作製できる。また、３Ｄプリンターを用いて作製することができる。また、粘土などを使って形状を作り、その表面に絵を描くことでも作製できる。動物模型２０を飾るには占有する場所が大きすぎる場合があり、首部分だけの首模型１であるならばさほど占有面積をとらないため、採用される場合がある。
【００１５】
かかる首部分のみの首模型１は、首の部分だけであることが理由で観者の不興を買う場合がある。平面部３から首の部分だけが突出しているという状態が、観者をして気持ち悪いと敬遠されるのである。首部分だけでなく、首から下の部分も一部含めば、その不興感も軽減されていく。かかる首模型１を普及させるには、不興感を軽減させる方策が必要である。
【００１６】
本出願人は鋭意研究の結果、この不興感を軽減する方策を生み出した。最初に、首模型１が不興を買う原因は、動物の一部分しか描かれていないことであると見出した。そして、１００人の観者に首模型１を見てもらい、その意見から不興を買う要因を抽出した。その結果、大まかには以下の結果となった。
【００１７】
要因１として、首が突出する長さが長いほど、不興感がある。要因２として、首から下の身体の部分の描かれている割合が小さいほど、不興感がある。要因３として、顔が描かれている背景部分の平面部３の横幅が小さいほど不興感がある。
【００１８】
この３つの要因の中で、要因１は、立体模型は立体であるほどその動物に似ているといえるので、その模型の価値を高める要因になり得ることから、不興感を発生させても首が突出する長さを短くすることは適切でない。しかし、実際に要因１は不興感を醸し出す要因になっており、要因１の不興感が大きいほど、同時に要因２と要因３が与える不興感が大きくなる。つまり、首が突出する長さが長いほど、要因２や要因３が生み出す不興感はより深刻になると予想できる。従ってこの要因１は要因２と要因３に影響を与える要素であると考えられる。そのため要因１は、要因２や要因３の影響を見極める際のパラメーターとすべきと結論した。ただ、要因１自体を細分化すると、要因２、要因３とが相まって、要因の不興感への影響の区分けが非常に複雑になってしまう。そこで、要因１を二つの領域に分け、その各領域の中で、要因２と要因３との影響を調査することとした。不興感の調査は首模型１を１００人の観者に見せて問うた。
【００１９】
このような要因１，２，３を具体的にどう定義するか検討し、以下のように決定した。要因１における首が突出する長さは、首模型１を観者が正面方向から見た際の動物の目の間隔の長さである目間隔を基準とし、その目間隔に対しての平面部３から動物の鼻先までの高さの比をパラメーターとした。このパラメーターを突出比と称す。このようなパラメーターとしたのは、観者は首模型１の動物の目に注目し、そしてその目の間隔を基準に無意識に、首模型１における首の突出度合いを心理的に感じているからである。突出比が大きいほど首部分が平面部３から突出している。突出比が小さい場合には、そもそも立体感が乏しいので、不興感は生じない。そこで、突出比を０．３以上１未満の領域と、１以上の二つの領域を採用した。
【００２０】
また、要因２については、動物の首から下部分の長さが長いほど実際に近いものになるので、動物の顔の長さと平面部３に描かれている動物の首から下部分の長さとを加算した長さを基準として、動物の顔の長さの比をパラメーターとした。
【００２１】
さらに、要因３については、動物の目の間隔方向の平面部３の幅を基準とした目間隔の比をパラメーターとした。
【００２２】
図３は、額縁が四角形の場合のパラメーターとして使用する長さの定義を示した図である。図８は、額縁が円形または楕円形の場合のパラメーターとして使用する長さの定義を示した図である。以下の観者による調査は四角形と楕円形の両方で行い、ほぼ同じ結果であることを確認している。動物の目の間隔方向の平面部３の幅をＷ１とし、首模型１の正面方向から見た動物の目の間隔の長さである目間隔をＷ２とし、平面部３から動物の鼻先までの高さをＨ１とし、動物の顔の長さをＬ２とし、平面部３に描かれている動物の首から下部分の長さとＬ２とを加算した長さをＬ１とする。
【００２３】
以下に１００人の観者を対象に調査結果を説明する。調査は、観者１００人に対して、不興感を感じるか否か、という質問を行い、不興感を感じる患者の割合を調査した。
【００２４】
首模型１の正面方向から見た動物の目の間隔の長さである目間隔を基準とした際の、平面部３から動物の鼻先までの高さの比、すなわちＨ１／Ｗ２が０．３以上１未満の時と、
Ｈ１／Ｗ２が１以上の時とで、Ｌ１を基準としたＬ２の比を変化させた場合に、観者が不興であると感じる率と、Ｗ１を基準としたＷ２の比を変化させた場合に、観者が不興であると感じる率と、を調査した。
【００２５】
その結果を図４、図５、図６、図７に示す。各図では観者１００人から聞き取ったデータを記入すると共にそのデータをグラフ化した図が記載されている。図４は、Ｈ１／Ｗ２が０．３以上１未満の時の、Ｌ１を基準としたＬ２の比を変化させた場合に観者が不興であると感じる率を表す図である。図５は、Ｈ１／Ｗ２が１以上の時の、Ｌ１を基準としたＬ２の比を変化させた場合に観者が不興であると感じる率を表す図である。図６は、Ｈ１／Ｗ２が０．３以上１未満の時の、Ｗ１を基準としたＷ２の比を変化させた場合に観者が不興であると感じる率を表す図である。図７は、Ｈ１／Ｗ２が１以上の時の、Ｗ１を基準としたＷ２の比を変化させた場合に観者が不興であると感じる率を表す図である。
【００２６】
図４から、Ｈ１／Ｗ２が０．３以上１未満の時の場合には、Ｌ１を基準としたＬ２の比が０．７以下の際に不興感が２０％を下回る。２０％という数値は１００人の観者のうち８０人は不興と思わないことから製品として価値を有すると認定できるものである。さらに、Ｌ１を基準としたＬ２の比が０．６以下の際に不興感が１０％を下回り、さらに製品として好適であると言える。
【００２７】
図５から、Ｈ１／Ｗ２１以上の場合には、Ｌ１を基準としたＬ２の比が０．５以下の際に不興感が２０％を下回り、製品として価値を有すると認定できるものである。さらに、Ｌ１を基準としたＬ２の比が０．４５以下の際に不興感が１０％を下回り、さらに製品として好適であると言える。
【００２８】
図６から、Ｈ１／Ｗ２が０．３以上１未満の時の場合には、Ｗ１を基準としたＷ２の比が０．６以下の際に不興感が２０％を下回り、製品として価値を有すると認定できるものである。さらに、Ｗ１を基準としたＷ２の比が０．５以下の際に不興感が１０％を下回り、さらに製品として好適であると言える。
【００２９】
図７から、Ｈ１／Ｗ２１以上の場合には、Ｗ１を基準としたＷ２の比が０．３以下の際に不興感が２０％を下回り、製品として価値を有すると認定できるものである。さらに、Ｗ１を基準としたＷ２の比が０．２７以下の際に不興感が１０％を下回り、さらに製品として好適であると言える
以上の結果から不興感を測定する尺度を作成した。すなわち、首模型１の正面方向から見た動物の目の間隔の長さである目間隔を基準とした際の、平面部３から動物の鼻先までの高さの比が０．３以上１未満の時に、動物の目の間隔方向の平面部３の幅Ｗ１を基準とした目間隔Ｗ２の比が、０．６以下であり、動物の顔の長さと平面部３に描かれている動物の首から下部分の長さとを加算した長さＬ１を基準とした、動物の顔の長さＬ２の比を、０．７以下とする。
【００３０】
また、首模型１の正面方向から見た動物の目の間隔の長さである目間隔を基準とした際の、平面部３から動物の鼻先までの高さの比が１以上の時に、動物の目の間隔方向の平面部３の幅Ｗ１を基準とした目間隔Ｗ２の比が、０．３以下であり、動物の顔の長さと平面部３に描かれている動物の首から下部分の長さとを加算した長さＬ１を基準とした、動物の顔の長さＬ２の比を、０．５以下とする。
【００３１】
これらの場合には、不興感率が２０％以下に収まるので、商品として不興感を与えずに立体像の立体であることの驚きが顧客を吸引する価値をもつと言える。
【００３２】
さらに、首模型１の正面方向から見た動物の目の間隔の長さである目間隔を基準とした際の、平面部３から動物の鼻先までの高さの比が０．３以上１未満の時に、動物の目の間隔方向の平面部３の幅Ｗ１を基準とした目間隔Ｗ２の比が、０．５以下であり、動物の顔の長さと平面部３に描かれている動物の首から下部分の長さとを加算した長さＬ１を基準とした、動物の顔の長さＬ２の比を、０．６以下とする。
【００３３】
また、首模型１の正面方向から見た動物の目の間隔の長さである目間隔を基準とした際の、平面部３から動物の鼻先までの高さの比が１以上の時に、動物の目の間隔方向の平面部３の幅Ｗ１を基準とした目間隔Ｗ２の比が、０．２７以下であり、動物の顔の長さと平面部３に描かれている動物の首から下部分の長さとを加算した長さＬ１を基準とした、動物の顔の長さＬ２の比を、０．４５以下とする。
【００３４】
これらの場合には、不興感率が１０％以下に収まるので、商品としてさらに不興感を与えずに立体像の立体であることの驚きが顧客を吸引する価値をもつと言える。
【００３５】
次いで、かかる首模型１の不興感を払拭する他の実施形態について説明する。首模型１は動物の立体形状であると観者が認識すると不興感が生じる。そこで、首模型１に他の機能を付与することで不興感を減じることができる。図９は、首模型１の他の動物や人間の写真やイラストを描いた概要図である。動物や人間の写真やイラストを描いてやる領域を設けると全体として軟らかい印象になり、不興感が軽減される。  図１０は、首模型１のカレンダーや時計や動物や人間の写真やイラストを描いた概要図である。
【００３６】
首模型１のカレンダーや、実物の時計や、動物や人間の写真やイラスト、の領域を設けると観者が突出した動物首部分８のみ見るのではなく、カレンダーなどにも注意が向くので全体として軟らかい印象になり、不興感が軽減される。このように平面部３に描く人間、動物は２次元状の写真やイラスト以外にも３次元状に作製してもよい。３次元状に作製する方法は動物首部分８を作製する方法と同様でもよい。
【００３７】
かかる領域を設ける際に注意すべきは、動物首部分８が存在するために、領域に設けられた動物や人間の写真やイラストが見えにくくなることである。２次元の絵画であれば全体が平面であるので、絵画の中のどこにカレンダー等を設けても観者からは見えるが動物首部分８が存在すると影になって見えにくくなる。そこで、カレンダー等を設ける領域に制限を設ける。
【００３８】
図９において、点線３１は外周形状３５の上部に接する水平線であり、点線３２は外周形状３５の下部に接する水平緯線である。ここで、外周形状３５とは、動物首部分８が平面部３から突出し出すラインである。観者からの視認性を確保するには、２次元状若しくは３次元状に形成された人間若しくは動物の少なくともいずれかの写真若しくはイラスト、または、カレンダー、または時計、のいずれかは、点線３１と点線３２の間の領域以外の領域に設けられることが望ましい。点線３１と点線３２の間の領域以外の領域であれば、額縁の上でも構わない。すなわち、点線３１，３２の間の領域外である、図中の領域Ａ、領域Ｂに記載されることが重要である。
【００３９】
ただし、２次元状若しくは３次元状に形成された人間若しくは動物の少なくともいずれかの写真若しくはイラスト、または、カレンダー、または時計が、完全にその要件を満たさなくとも、少なくとも占有面積の半分以上が上記の領域に含まれなければ、観者から観察されやすいので好ましい。
【００４０】
以上のように本考案によれば、所定の形状の平面部から突出している動物の首の模型であって、前記模型の正面方向から見た動物の目の間隔の長さである目間隔を基準とした際の、前記平面部から動物の鼻先までの高さの比が、０．３以上１未満の時に、動物の目の間隔方向の前記平面部の幅を基準とした、前記目間隔の比が、０．６以下であり、動物の顔の長さと前記平面部に描かれている動物の首から下部分の長さとを加算した長さを基準とした、動物の顔の長さの比が、０．７以下であり、前記模型の正面方向から見た動物の目の間隔の長さである目間隔を基準とした際の、前記平面部から動物の鼻先までの高さの比が、１以上の時に、動物の目の間隔方向の前記平面部の幅を基準とした、前記目間隔の比が、０．３以下であり、動物の顔の長さを基準とした、前記目間隔の比が、０．５以下であることで、不興感率が２０％以下に収まるので、商品として不興感を与えずに立体像の立体であることの驚きが顧客を吸引する価値をもつ動物の首の模型を提供できる。
【００４１】
また、本考案によれば、所定の形状の平面部から突出している動物の首の模型であって、  前記模型の正面方向から見た動物の目の間隔の長さである目間隔を基準とした際の、前記平面部から動物の鼻先までの高さの比が、０．３以上１未満の時に、動物の目の間隔方向の前記平面部の幅を基準とした、前記目間隔の比が、０．５以下であり、動物の顔の長さと前記平面部に描かれている動物の首から下部分の長さとを加算した長さを基準とした、動物の顔の長さの比が、０．６以下であり、前記模型の正面方向から見た動物の目の間隔の長さである目間隔を基準とした際の、前記平面部から動物の鼻先までの高さの比が、１以上の時に、動物の目の間隔方向の前記平面部の幅を基準とした、前記目間隔の比が、０．２７以下であり、動物の顔の長さを基準とした、前記目間隔の比が、０．４５以下であることで、不興感率が１０％以下に収まるので、商品としてさらに不興感を与えずに立体像の立体であることの驚きが顧客を吸引する価値をもつ動物の首の模型を提供できる。
【００４２】
また、本考案によれば、平面部は、四角形、円形、楕円形の何れかであっても上記のように、不興感率が所定の値に収まるので、商品として不興感を与えずに立体像の立体であることの驚きが顧客を吸引する価値をもつ動物の首の模型を提供できる。
【００４３】
また、本考案によれば、平面部には、２次元状若しくは３次元状に形成された人間若しくは動物の少なくともいずれかの写真またはイラスト、または、カレンダー、または時計、のいずれかが備えられているので、不興感の軽減された首模型１を提供することができる。
【００４４】
また、本考案によれば、２次元状若しくは３次元状に形成された人間若しくは動物の少なくともいずれかの写真またはイラスト、または、カレンダー、または時計、のいずれかは、平面部から突出している動物の首の部分の、平面部における外周形状を内部に接する長方形における、互いに向かい合う二つの平行なラインに囲まれない領域内に、少なくとも占有面積の半分以上が含まれているので、動物首部分８が突出しているにも関らず、観者から観察されやすく、不興感の軽減された首模型１を提供することができる。
【符号の説明】
【００４５】
首模型    １
平面部    ３
動物首部分  ８
動物模型  ２０
点線       ３１、３２
ライン    ３５
長方形    ３６
【図１】
0003206213.tif 000003
【図２】
0003206213.tif 000004
【図３】
0003206213.tif 000005
【図４】
0003206213.tif 000006
【図５】
0003206213.tif 000007
【図６】
0003206213.tif 000008
【図７】
0003206213.tif 000009
【図８】
0003206213.tif 000010
【図９】
0003206213.tif 000011
【図１０】
0003206213.tif 000012